(57)【要約】【課題】微細水を含む加熱送風を簡易な構成で適切に行う。【解決手段】吸入口と送風口とを有する本体内に送風流路が形成されると共に送風流路にファンとヒータとが配置され、ファンにより吸入口から送風流路に空気を吸入しヒータにより加熱して送風口から送風する加熱送風装置は、送風流路に配置され、基材と、基材に設けられた導電性高分子膜とを有し、温度低下により導電性高分子膜に空気中の水分を吸着する吸着状態になり、吸着した水分を温度上昇により無帯電且つ粒径が５０ナノメートル以下の微細水として導電性高分子膜から放出する放出状態になる微細水発生部を備えるものである。【選択図】図２
2020116032.tif 000002
【特許請求の範囲】
【請求項１】
吸入口と送風口とを有する本体内に送風流路が形成されると共に前記送風流路にファンとヒータとが配置され、前記ファンにより前記吸入口から前記送風流路に空気を吸入し前記ヒータにより加熱して前記送風口から送風する加熱送風装置であって、
前記送風流路に配置され、基材と、前記基材に設けられた導電性高分子膜とを有し、温度低下により前記導電性高分子膜に空気中の水分を吸着する吸着状態になり、前記吸着した水分を温度上昇により無帯電且つ粒径が５０ナノメートル以下の微細水として前記導電性高分子膜から放出する放出状態になる微細水発生部
を備える加熱送風装置。
【請求項２】
請求項１に記載の加熱送風装置であって、
前記送風流路には、前記吸入口側から、前記ファン、前記ヒータ、前記微細水発生部が順に配置され、
前記微細水発生部は、前記ヒータおよび前記ファンの駆動で加熱された空気の流通により前記放出状態になり、前記ヒータの駆動停止により前記吸着状態になる
加熱送風装置。
【請求項３】
請求項１に記載の加熱送風装置であって、
前記送風流路には、前記吸入口側から、前記ファン、前記微細水発生部、前記ヒータが順に配置され、
前記微細水発生部に通電可能な通電部と、
通電により前記微細水発生部が前記放出状態になり、通電停止により前記微細水発生部が前記吸着状態になるように前記通電部を制御する通電制御部と、
を備える加熱送風装置。
【請求項４】
請求項１に記載の加熱送風装置であって、
前記送風流路は、前記吸入口側から、前記ファン、前記ヒータが順に配置された主流路と、前記ファンと前記ヒータとの間で前記主流路から分岐し前記微細水発生部が配置された分岐流路とを有し、
前記微細水発生部に通電可能な通電部と、
通電により前記微細水発生部が前記放出状態になり、通電停止により前記微細水発生部が前記吸着状態になるように前記通電部を制御する通電制御部と、
を備える加熱送風装置。
【請求項５】
請求項１に記載の加熱送風装置であって、
前記送風流路は、前記吸入口側に前記ファンが配置され、前記ファンよりも前記送風口側において前記送風流路内を分割した複数の分割流路が形成されており、
前記複数の分割流路の各々は、前記吸入口側から、互いに独立して駆動可能な前記ヒータと、前記微細水発生部とが順に配置されており、
前記ファンが駆動している状態で、前記ヒータが駆動している前記分割流路で加熱された空気の流通により該分割流路の前記微細水発生部が前記放出状態になり、前記ヒータが駆動停止している前記分割流路の前記微細水発生部が前記吸着状態になるように、前記分割流路の各々の前記ヒータの駆動を個別に制御するヒータ制御部と、
を備える加熱送風装置。
【請求項６】
請求項１に記載の加熱送風装置であって、
前記送風流路において前記微細水発生部よりも前記送風口側に配置された放電素子を備える加熱送風装置。
【発明の詳細な説明】
【技術分野】
【０００１】
本発明は、加熱送風装置に関する。
【背景技術】
【０００２】
従来、この種の加熱送風装置としては、内部に送風流路が形成された本体と、送風流路内に配置されたファンおよびヒータと、本体内に配置された静電霧化器とを備えるものが提案されている（例えば、特許文献１参照）。この加熱送風装置では、静電霧化器が、放電電極およびそれに対向する対向電極と、放電電極を冷却して周囲の空気から水分を放電電極付近に生成させる冷却部と、放電電極と対向電極との間に高電圧を印加する高電圧印加部とを備える。そして、高電圧印加部により高電圧を印加して放電電極付近に生成した水を霧化させ、霧化させたミストをヒータにより加熱された空気と共に送風流路から吐出することで、水の補給をしなくても強い電荷を有するナノサイズのイオンミストを外部に送風することができるとしている。
【先行技術文献】
【特許文献】
【０００３】
【特許文献１】ＷＯ２００５／１０２１０１Ａ１
【発明の概要】
【発明が解決しようとする課題】
【０００４】
上述した加熱送風装置では、静電霧化器から放出されるイオンミストが強い電荷を有しマイナスに帯電しているため、例えば人体に向けて送風した場合、人体の肌に対して反発を起こす場合がある。このため、吐出されたイオンミストが人体の角質層の内部に浸透しない可能性がある。また、空気中の水を凝縮するための冷却部としてペルチェ素子を備える必要があるから、装置構成が複雑となってコスト増を招いてしまう。
【０００５】
本発明は、微細水を含む加熱送風を簡易な構成で適切に行うことを主目的とする。
【課題を解決するための手段】
【０００６】
本発明は、上述の主目的を達成するために以下の手段を採った。
【０００７】
本発明の加熱送風装置は、
吸入口と送風口とを有する本体内に送風流路が形成されると共に前記送風流路にファンとヒータとが配置され、前記ファンにより前記吸入口から前記送風流路に空気を吸入し前記ヒータにより加熱して前記送風口から送風する加熱送風装置であって、
前記送風流路に配置され、基材と、前記基材に設けられた導電性高分子膜とを有し、温度低下により前記導電性高分子膜に空気中の水分を吸着する吸着状態になり、前記吸着した水分を温度上昇により無帯電且つ粒径が５０ナノメートル以下の微細水として前記導電性高分子膜から放出する放出状態になる微細水発生部と、
を備えることを要旨とする。
【０００８】
本発明の加熱送風装置は、本体内に形成された送風流路にファンとヒータとが配置され、温度低下により導電性高分子膜に空気中の水分を吸着する吸着状態になり、吸着した水分を温度上昇により無帯電且つ粒径が５０ナノメートル以下の微細水として導電性高分子膜から放出する放出状態になる微細水発生部が送風流路に配置されている。このため、人体の頭皮や髪の毛などの対象に微細水を含む加熱送風を行った場合に、微細水が頭皮や髪の毛などと反発するのを抑えて頭皮などに浸透しやすくするから、保湿効果を高めることができる。また、微細水発生部は、温度低下または温度上昇により、吸着状態と放出状態とに変化するから、簡易な構成で無帯電の微細水を放出することができる。したがって、微細水を含む加熱送風を簡易な構成で適切に行うことができる。
【０００９】
本発明の加熱送風装置において、前記送風流路には、前記吸入口側から、前記ファン、前記ヒータ、前記微細水発生部が順に配置され、前記微細水発生部は、前記ヒータおよび前記ファンの駆動で加熱された空気の流通により前記放出状態になり、前記ヒータの駆動停止により前記吸着状態になるものとすることもできる。こうすれば、微細水発生部の状態を変化させるための通電部などを不要とすることができるから、微細水を含む加熱送風をより簡易な構成で行うことができる。
【００１０】
本発明の加熱送風装置において、前記送風流路には、前記吸入口側から、前記ファン、前記微細水発生部、前記ヒータが順に配置され、前記微細水発生部に通電可能な通電部と、通電により前記微細水発生部が前記放出状態になり、通電停止により前記微細水発生部が前記吸着状態になるように前記通電部を制御する通電制御部と、を備えるものとすることもできる。こうすれば、通電制御により微細水発生部を吸着状態と放出状態とに変化ささせることができるから、微細水を含む加熱送風をより適切なものとすることができる。
【００１１】
本発明の加熱送風装置において、前記送風流路は、前記吸入口側から、前記ファン、前記ヒータが順に配置された主流路と、前記ファンと前記ヒータとの間で前記主流路から分岐し前記微細水発生部が配置された分岐流路とを有し、前記微細水発生部に通電可能な通電部と、通電により前記微細水発生部が前記放出状態になり、通電停止により前記微細水発生部が前記吸着状態になるように前記通電部を制御する通電制御部と、を備えるものとすることもできる。こうすれば、微細水発生部から放出した微細水がヒータの熱で蒸発するのを防いで対象物に到達しやすくすることができるから、微細水を含む加熱送風をさらに適切なものとすることができる。
【００１２】
本発明の加熱送風装置において、前記送風流路は、前記吸入口側に前記ファンが配置され、前記ファンよりも前記送風口側において前記送風流路内を分割した複数の分割流路が形成されており、前記複数の分割流路の各々は、前記吸入口側から、互いに独立して駆動可能な前記ヒータと、前記微細水発生部とが順に配置されており、前記ファンが駆動している状態で、前記ヒータが駆動している前記分割流路で加熱された空気の流通により該分割流路の前記微細水発生部が前記放出状態になり、前記ヒータが駆動停止している前記分割流路の前記微細水発生部が前記吸着状態になるように、前記分割流路の各々の前記ヒータの駆動を個別に制御するヒータ制御部と、を備えるものとすることもできる。こうすれば、複数の分割流路の各々の微細水発生部を順に放出状態としたり吸着状態としたりすることができるから、微細水を継続的に放出することが可能となる。
【００１３】
本発明の加熱送風装置において、前記送風流路において前記微細水発生部よりも前記送風口側に配置された放電素子を備えるものとすることもできる。こうすれば、放電により発生させた粒子を微細水に照射して、微細水の脱臭や花粉、雑菌、ウイルスなどの不活性化を図ることができる。
【図面の簡単な説明】
【００１４】
【図１】ヘアドライヤー１０の外観斜視図である。
【図２】ヘアドライヤー１０の構成の概略を示す構成図である。
【図３】微細水発生カートリッジ５０の構成の概略を示す構成図である。
【図４】変形例のヘアドライヤー１０Ｂの構成の概略を示す構成図である。
【図５】変形例のヘアドライヤー１０Ｃの構成の概略を示す構成図である。
【図６】変形例のヘアドライヤー１０Ｄの構成の概略を示す構成図である。
【図７】ヘアドライヤー１０Ｄの正面図である。
【図８】別形態の正面図である。
【図９】変形例のヘアドライヤー１０Ｅの構成の概略を示す構成図である。
【発明を実施するための形態】
【００１５】
次に、本発明を実施するための形態について説明する。
【００１６】
図１は、ヘアドライヤー１０の外観斜視図であり、図２は、ヘアドライヤー１０の構成の概略を示す構成図である。ヘアドライヤー１０は、図１，図２に示すように、本体２０と、本体２０にヒンジ３２を介して折り畳み可能に取り付けられたグリップ３０とを備える。本体２０は、フィルター２１を介して外部の空気を吸入するための吸入口２２と、外部に空気を送風するための送風口２４とを有し、吸入口２２から送風口２４に至る送風流路２６が内部に形成されている。
【００１７】
ヘアドライヤー１０は、本体２０の送風流路２６に配置されたファン４０と、ヒータ４５とを備える。ファン４０は、図示しないモータにより回転駆動するプロペラファンであり、吸入口２２から送風流路２６内に外部の空気を吸入して送風口２４から外部に送風する。なお、ファン４０は、プロペラファンに限られず、シロッコファンなどとしてもよい。ヒータ４５は、金属板や電熱線などにより構成され、送風流路２６を流れる空気を所定温度に加熱する。
【００１８】
グリップ３０には、温風のオンオフやその強弱、冷風のオンオフなどの各種操作を行うための操作スイッチ３４が設けられている。ヘアドライヤー１０は、操作スイッチ３４の操作に基づいてファン４０やヒータ４５などの各部を駆動させるために、電源回路６２と、スイッチモジュール６４とを備える。電源回路６２は、ＡＣ１００Ｖなどの電源に接続される電源コード６６から電力が供給され、各部の駆動に適した電力に必要に応じて変換して出力する。スイッチモジュール６４は、操作スイッチ３４の操作に応じて電源回路６２から出力される電力をファン４０やヒータ４５などの各部に供給したり、供給を遮断したりするように構成されている。
【００１９】
また、ヘアドライヤー１０は、本体２０の送風流路２６に配置された微細水発生カートリッジ５０を備える。本実施形態では、送風流路２６において吸入口２２（空気の上流）側から、ファン４０と、ヒータ４５と、微細水発生カートリッジ５０の順に配置されている。図３は、微細水発生カートリッジ５０の構成の概略を示す構成図である。微細水発生カートリッジ５０は、送風流路２６内に取り付け可能な外径の円筒状のケース５２と、ケース５２内に設けられた微細水発生素子５４とを備える。微細水発生素子５４は、基材５６と、基材５６の表面に形成された導電性高分子膜５８とにより構成されている。
【００２０】
基材５６は、ステンレス系金属や銅系金属などの金属材料、炭素材料、導電性セラミックス材料などの導電性を有する材料で形成されている。本実施形態では、アルミニウムが添加されたステンレス鋼の金属箔を用いる。なお、微細水発生素子５４は、空気を流通可能であって基材５６（導電性高分子膜５８）の表面積ができるだけ大きくなるように、平板状に形成された複数枚の基材５６により構成されてもよいし、ハニカム状や渦巻き状などに形成された基材５６により構成されてもよい。
【００２１】
導電性高分子膜５８は、チオフェン系の導電性高分子などの導電性を有する高分子化合物で形成されている。本実施形態では、チオフェン系の導電性高分子のうち、ＰＥＤＯＴ／ＰＳＳ（ポリ（３，４−エチレンジオキシチオフェン）／ポリ（スチレンスルホン酸））で形成されている。ＰＥＤＯＴ／ＰＳＳは、ＰＥＤＯＴのコアと、水素結合可能な酸性官能基であるスルホン酸基のシェルとを有するコアシェル構造である。また、導電性高分子膜５８中では、ＰＥＤＯＴ／ＰＳＳのシェルが整列した積層構造をとり、各シェルの間に例えば２ナノメートルなどのナノメートルサイズの流路であるナノチャンネルを形成する。このナノチャンネル内には、スルホン酸基が多く存在するため、導電性高分子膜５８の表面に存在する水分は、表面の水分量が多く内部の水分量が少ない場合に、表面と内部の濃度差によってナノチャンネル内のスルホン酸基を伝って内部に移動する。これにより、導電性高分子膜５８が水分を吸着する。また、内部に水分が吸着された状態で、表面の水分量が少なく内部の水分量が多い場合に、水分は表面と内部の濃度差によってナノチャンネル内のスルホン酸基を伝って表面に移動する。これにより、導電性高分子膜５８から水分が微細水として放出される。また、導電性高分子膜５８の温度が上昇した状態では、濃度差のみで移動する場合に比して水分（微細水）の速やかな放出が促され、導電性高分子膜５８の温度が低下した状態およびその状態で常温や低温の空気が流通する状態では水分の吸着が促される。このように、微細水発生カートリッジ５０（微細水発生素子５４）は、温度低下により導電性高分子膜５８に空気中の水分を吸着する吸着状態に変化し、吸着した水分を温度上昇により導電性高分子膜５８から放出する放出状態に変化することになる。なお、導電性高分子膜５８の厚みは、必要な微細水の吸着量（放出量）に応じて適宜定めることができる。例えば、導電性高分子膜５８の厚みが１〜３０マイクロメートルなどとなるように形成される場合、１０秒から数１０秒程度の時間で、微細水を放出するのに十分な水分を吸着することができるものとなる。
【００２２】
また、微細水発生カートリッジ５０は、微細水発生素子５４の導電性高分子膜５８から、水粒子の粒径が５０ナノメートル以下、例えば粒径が２ナノメートル以下であって、無帯電の微細水を放出する。このような粒径となる理由は、ナノチャンネルのサイズが２ナノメートルまたはそれ以下のサイズであるため、導電性高分子膜の温度上昇によるナノチャンネル内の水の運動性向上、圧力上昇により、ナノチャンネルから水分が飛び出す現象のためと考えられる。また、飛び出した後に水粒子同士が凝集しても、その粒径は５０ナノメートル以下の範囲に分布するものとなっている。このような微細水発生カートリッジ５０（導電性高分子膜５８）の微細水発生の詳細な説明は、本願出願人の特願２０１８−１７２１６６号の明細書などに記載されているため、これ以上の詳細な説明は省略する。
【００２３】
次に、こうして構成されたヘアドライヤー１０の動作について説明する。ヘアドライヤー１０は、微細水発生カートリッジ５０に温風が流通していない状態、例えば使用者の操作スイッチ３４の操作により冷風を送風している冷風使用状態や、非使用中であって送風流路２６内が高温になっていない状態（常温で放置している状態）では、微細水発生カートリッジ５０は、比較的低い温度となる。このため、微細水発生カートリッジ５０は、導電性高分子膜５８が水分を吸着する吸着状態となる。なお、冷風使用状態では、非使用中よりも微細水発生カートリッジ５０を流通する単位時間当たりの風量（空気量）が増加するため、空気中の水分をより多く吸着することになる。
【００２４】
そして、ヘアドライヤー１０は、使用者の操作スイッチ３４の操作により温風を送風している温風使用状態では、微細水発生カートリッジ５０に温風（例えば約８０℃など）が流通するため、微細水発生カートリッジ５０は、比較的高い温度となる。このため、微細水発生カートリッジ５０は、導電性高分子膜５８から微細水を放出する放出状態となる。放出された微細水は、温風と共に使用者の頭皮や髪の毛に向けて送風される。上述したように、微細水は無帯電であるから、使用者の頭皮や髪の毛に反発することなく頭皮や髪の毛に付着しやすいものとなる。また、微細水は、粒径が５０ナノメートル以下、例えば２ナノメートル以下程度の小さな粒径であるから、頭皮や髪の毛に浸透して保湿効果を高めることができる。特に、人体の肌の角質の隙間は、約５０ナノメートルであるから、微細水が浸透し易いものとなる。
【００２５】
以上説明した本実施形態のヘアドライヤー１０では、本体２０内に形成されファン４０とヒータ４５とが配置された送風流路２６に、温度低下により導電性高分子膜５８に空気中の水分を吸着する吸着状態になり、吸着した水分を温度上昇により無帯電且つ粒径が５０ナノメートル以下の微細水として導電性高分子膜５８から放出する放出状態になる微細水発生カートリッジ５０を備える。このため、人体の頭皮や髪の毛などに微細水を含む加熱送風を行った際に、微細水が反発するのを抑えて浸透しやすくするから保湿効果を高めることができる。
【００２６】
また、送風流路２６に、吸入口２２側から、ファン４０、ヒータ４５、微細水発生カートリッジ５０が順に配置される。このため、微細水発生カートリッジ５０は、ヘアドライヤー１０が温風送風で使用される際に放出状態になり、ヘアドライヤー１０が冷風送風で使用される際や常温で放置される際に吸着状態になるから、微細水発生カートリッジ５０への通電を不要とした簡易な構成で微細水を放出することができる。
【００２７】
実施形態では、送風流路２６に、吸入口２２側から、ファン４０、ヒータ４５、微細水発生カートリッジ５０の順に配置されたり、送風流路２６が分岐などのない流路であるものを例示したが、これに限られるものではない。例えば、図４〜図６の変形例のヘアドライヤー１０Ｂ，１０Ｃ，１０Ｄのように構成してもよい。なお、以下の変形例では、実施形態と同じ構成には同じ符号を付して説明は省略する。
【００２８】
図４のヘアドライヤー１０Ｂでは、送風流路２６に、吸入口２２側から、ファン４０、微細水発生カートリッジ５０、ヒータ４５の順に配置される。また、ヘアドライヤー１０Ｂは、電源回路６２から微細水発生カートリッジ５０に通電可能に構成されており、微細水発生カートリッジ５０への通電（オン）と通電の停止（オフ）とを切り替えるノーマルオープン型の切替スイッチ６５と、切替スイッチ６５のオンオフを制御する制御部６０とを備える。制御部６０には、操作スイッチ３４からの操作信号が入力されるものとしてもよい。例えば、使用者が微細水発生の有無の切替操作を操作スイッチ３４などを介して行って、その操作信号が制御部６０に入力されてもよい。電源回路６２から基材５６に通電して導電性高分子膜５８の温度が上昇すると、水分（微細水）の放出が促される。また、電源回路６２から基材５６への通電を停止して導電性高分子膜５８の温度が低下すると、水分の吸着が促される。なお、電源回路６２は、基材５６に通電するものとするが、導電性高分子膜５８に通電するものとしてもよい。このヘアドライヤー１０Ｂでは、制御部６０が操作スイッチ３４などの操作信号により切替スイッチ６５のオンオフを切り替えることができるから、使用者が微細水の放出を伴って送風するか否かを選択することができる。また、ドライヤー１０Ｂが送風を行っている状態で、制御部６０が、１０秒から１０数秒程度の所定時間毎に切替スイッチ６５のオンオフを切り替えてもよい。こうすれば、導電性高分子膜５８が水分の吸着と放出とを所定時間毎に繰り返し、所定時間間隔で微細水を含む送風を行うことができる。このように、導電性高分子膜５８の吸着状態と放出状態とに変化させることができるから、微細水を含む送風（加熱送風）をより適切なものとすることができる。
【００２９】
また、図５のヘアドライヤー１０Ｃでは、吸入口２２側から、ファン４０、ヒータ４５の順に配置された主流路１２６ａと、ファン４０とヒータ４５との間で主流路１２６ａから分岐する分岐流路１２６ｂとを有し、分岐流路１２６ｂに微細水発生カートリッジ１５０が配置されている。ここでは、主流路１２６ａを取り囲むように円環状の１つの分岐流路１２６ｂが設けられるものとし、分岐流路１２６ｂの内面から図示しないリブが延出して主流路１２６ａ（送風口２４ａ側）の外面を保持するものとする。ヘアドライヤー１０Ｃは、ヘアドライヤー１０Ｂと同様に制御部６０を備え、微細水発生カートリッジ１５０は、電源回路６２と切替スイッチ６５とにより通電可能に構成されている。制御部６０は、切替スイッチ６５のオンオフを制御することにより、微細水発生カートリッジ１５０の導電性高分子膜５８の吸着状態と放出状態とを任意に切り替えることができる。このヘアドライヤー１０Ｃでは、微細水発生カートリッジ１５０がヒータ４５とは異なる流路に配置されることで、微細水発生カートリッジ１５０から放出された微細水にヒータ４５の熱の影響が及ぶのを抑制して、微細水の蒸発などが促進されるのを防止することができる。したがって、微細水を含む加熱送風をさらに適切なものとすることができる。
【００３０】
また、図６のヘアドライヤー１０Ｄでは、送風流路２２６がファン４０よりも送風口２２４側（下流側）で送風流路２２６内を複数に分割した分割流路２２６ａが形成されている。また、図７は、ヘアドライヤー１０Ｄの正面図である。各分割流路２２６ａには、吸入口側２２から、互いに独立して駆動可能なヒータ２４５と、微細水発生カートリッジ２５０とが順に配置されている。各ヒータ２４５は、切替スイッチ２６５により通電（オン）と通電の停止（オフ）とが切り替え可能となっている。また、ヘアドライヤー１０Ｄは、各切替スイッチ２６５のオンオフを制御する制御部２６０を備える。制御部２６０は、ファン４０が駆動している状態で、分割流路２２６ａの各ヒータ２４５の駆動を個別に切り替えることにより、ヒータ２４５が駆動している分割流路２２６ａの微細水発生カートリッジ２５０を放出状態に変化させることができる。また、制御部２６０は、ヒータ２４５が駆動停止している分割流路２２６ａの微細水発生カートリッジ２５０を吸着状態に変化させることができる。このため、複数の分割流路２２６ａの各々の微細水発生カートリッジ２５０を順に放出状態や吸着状態にすることができる。例えば、図７に示すような４分割された４つの分割流路２２６ａを有する場合、いずれか１つの分割流路２２６ａのヒータ２４５を所定時間ずつ順次オフとしながら残り３つの分割流路２２６ａをオンとすることで、微細水を継続的に放出することが可能となる。所定時間としては、微細水発生カートリッジ２５０の導電性高分子膜５８が水分を吸着するのに必要な時間に応じて、例えば、１０秒から１０数秒程度の時間に適宜定めることができる。
【００３１】
ヘアドライヤー１０Ｄの分割流路２２６ａは、図７の構成に限られるものではない。例えば図８のように、円形の流路として構成してもよい。また、分割流路２２６ａは、４分割に限られず、２以上の複数に分割するものであればよい。なお、図５のヘアドライヤー１０Ｃの分岐流路１２６ｂについても、主流路１２６ａから部分的に分岐する複数の分岐流路を設けるものとし、各分岐流路に微細水発生カートリッジを配置すると共に、各微細水発生カートリッジの通電を個別に制御するように構成してもよい。
【００３２】
実施形態では、送風流路２６に、ファン４０と、ヒータ４５と、微細水発生カートリッジ５０とを備えるものとしたが、これらに加えて、次の構成を備えるものとしてもよい。図９は変形例のヘアドライヤー１０Ｅの構成の概略を示す構成図である。ヘアドライヤー１０Ｅは、図１の構成に加えて、微細水発生カートリッジ５０よりも送風口２４側（下流側）に放電素子７０を備える。放電素子７０は、第１電極（放電電極）７２と、第１電極７２に対向して配置される第２電極（対向電極）７４とを備え、例えばプラズマ放電を行う。放電素子７０は、電源回路６２と切替スイッチ３６５とにより通電可能に構成されている。制御部３６０は、切替スイッチ３６５のオンオフを制御することにより、放電素子７０からの放電の発生有無を切り替えることができる。放電素子７０は、第１電極７２と第２電極７４との間に放電電圧が印加されると両電極間で放電が発生する。これにより、微細水発生カートリッジ５０から放出された微細水に対し、放電により発生させた粒子を照射することができる。このため、微細水の脱臭や花粉、雑菌、ウイルスなどの不活性化を図ることができる。なお、放電素子７０は、微細水発生カートリッジ５０よりも送風口２４側（下流側）に配置されるものであればよく、例えば図２において、微細水発生カートリッジ５０とヒータ４５との間に配置されるものであってもよい。
【００３３】
実施形態では、送風流路２６に微細水発生カートリッジ５０が配置されるものとしたが、これに限られず、送風流路２６の吸入口２２のフィルター２１に導電性高分子膜５８を形成し、その導電性高分子膜５８に通電可能に構成するものなどとしてもよい。
【００３４】
実施形態では、ヘアドライヤーに本発明を適用するものを例示したが、これに限られず、ファンヒータなどの他の加熱送風装置に適用するものとしてもよい。
【００３５】
実施形態の主要な要素と課題を解決するための手段の欄に記載した発明の主要な要素との対応関係について説明する。実施形態では、本体２０が「本体」に相当し、送風流路２６が「送風流路」に相当し、ファン４０が「ファン」に相当し、ヒータ４５が「ヒータ」に相当し、基材５６が「基材」に相当し、導電性高分子膜５８が「導電性高分子膜」に相当し、微細水発生カートリッジ５０が「微細水発生部」に相当し、ヘアドライヤー１０が「加熱送風装置」に相当する。電源回路６２と切替スイッチ６５とが「通電部」に相当し、制御部６０が「通電制御部」に相当する。主流路１２６ａが「主流路」に相当し、分岐流路１２６ｂが「分岐流路」に相当する。分割流路２２６ａが「分割流路」に相当し、制御部２６０が「ヒータ制御部」に相当する。放電素子７０が「放電素子」に相当する。
【００３６】
なお、実施形態の主要な要素と課題を解決するための手段の欄に記載した発明の主要な要素との対応関係は、実施形態が課題を解決するための手段の欄に記載した発明を実施するための形態を具体的に説明するための一例であることから、課題を解決するための手段の欄に記載した発明の要素を限定するものではない。即ち、課題を解決するための手段の欄に記載した発明についての解釈はその欄の記載に基づいて行なわれるべきものであり、実施形態は課題を解決するための手段の欄に記載した発明の具体的な一例に過ぎないものである。
【００３７】
以上、本発明を実施するための形態について実施形態を用いて説明したが、本発明はこうした実施形態に何等限定されるものではなく、本発明の要旨を逸脱しない範囲内において、種々なる形態で実施し得ることは勿論である。
【産業上の利用可能性】
【００３８】
本発明は、加熱送風装置の製造産業などに利用可能である。
【符号の説明】
【００３９】
１０，１０Ｂ，１０Ｃ，１０Ｄ，１０Ｅ  ヘアドライヤー、２０  本体、２１  フィルター、２２  吸入口、２４，１２４ａ，１２４ｂ，２２４  送風口、２６，２２６  送風流路、３０  グリップ、３２  ヒンジ、３４  操作スイッチ、４０  ファン、４５，２４５  ヒータ、５０，１５０，２５０  微細水発生カートリッジ、５２  ケース、５４，２５４  微細水発生素子、５６  基材、５８  導電性高分子膜、６０，２６０，３６０  制御部、６２  電源回路、６４  スイッチモジュール、６５，２６５，３６５  切替スイッチ、６６  電源コード、７０  放電素子、７２  第１電極、７４  第２電極、１２６ａ  主流路、１２６ｂ  分岐流路、主流路、２２６ａ  分割流路。
【図１】
2020116032.tif 000003
【図２】
2020116032.tif 000004
【図３】
2020116032.tif 000005
【図４】
2020116032.tif 000006
【図５】
2020116032.tif 000007
【図６】
2020116032.tif 000008
【図７】
2020116032.tif 000009
【図８】
2020116032.tif 000010
【図９】
2020116032.tif 000011